(57)【特許請求の範囲】
【請求項１】
粉体を粉砕して、該粉体よりも微細な微細粉体とするための粉体製造装置(1)であって、
粉体を投入する投入部(2)と、
前記投入部(2)と連通され、該投入部(2)から投入された粉体を、該粉体の粒径よりも小さい第一粒径に微粉砕するための第一微粉砕部(10)と、
前記第一微粉砕部(10)と連通され、前記第一微粉砕部(10)で微粉砕された第一粒径の粉体を、さらに該第一粒径よりも小さい第二粒径に微粉砕するための第二微粉砕部(20)と、
前記第二微粉砕部(20)と連通され、前記第二微粉砕部(20)で微粉砕された第二粒径の粉体を回収するための回収部(30)と
を備え、
前記第一微粉砕部(10)が、
第一駆動軸(11)に複数枚のチップソー(12)が互いに離間して配置された、回転自在に駆動される第一チップソー(13)と、
前記第一チップソー(13)の外周に沿って周囲を囲むように配置された第一メッシュ(14)と、
前記第一メッシュ(14)の周囲を囲むと共に、該第一メッシュ(14)の外周との間に空間(15)を設けるように配置された第一ハウジング(16)と
を備え、
前記第二微粉砕部(20)が、
第二駆動軸(21)に複数枚のチップソー(22)が互いに離間して配置された、回転自在に駆動される第二チップソー(23)と、
前記第二チップソー(23)の外周に沿って周囲を囲むように配置された第二メッシュ(24)と、
前記第二メッシュ(24)の周囲を囲むと共に、該第二メッシュ(24)の外周との間に空間(25)を設けるように配置された第二ハウジング(26)と
を備え、
前記第二メッシュ(24)は、前記第一メッシュ(14)よりも目を細かく形成してなることを特徴とする粉体製造装置。
【請求項２】
粉体を粉砕して、該粉体よりも微細な微細粉体とするための粉体製造装置(1)であって、
粉体を投入する投入部(2)と、
前記投入部(2)と連通され、該投入部(2)から投入された粉体を、該粉体の粒径よりも小さい第一粒径に微粉砕するための第一微粉砕部(10)と、
前記第一微粉砕部(10)と連通され、前記第一微粉砕部(10)で微粉砕された第一粒径の粉体を、さらに該第一粒径よりも小さい第二粒径に微粉砕するための第二微粉砕部(20)と、
前記第二微粉砕部(20)と連通され、前記第二微粉砕部(20)で微粉砕された第二粒径の粉体を回収するための回収部(30)と
を備え、
前記第一微粉砕部(10)が、
第一駆動軸(11)に複数枚のチップソー(12)が互いに離間して配置された、回転自在に駆動される第一チップソー(13)と、
前記第一チップソー(13)の周囲を囲むように配置された第一メッシュ(14)と、
前記第一メッシュ(14)の周囲を囲むと共に、該第一メッシュ(14)の外周との間に空間(15)を設けるように配置された第一ハウジング(16)と
を備え、
前記第二微粉砕部(20)が、
第二駆動軸(21)に複数枚のチップソー(22)が互いに離間して配置された、回転自在に駆動される第二チップソー(23)と、
前記第二チップソー(23)の周囲を囲むように配置された第二メッシュ(24)と、
前記第二メッシュ(24)の周囲を囲むと共に、該第二メッシュ(24)の外周との間に空間(25)を設けるように配置された第二ハウジング(26)と
を備え、
前記第二メッシュ(24)は、前記第一メッシュ(14)よりも目を細かく形成しており、
前記第一微粉砕部(10)が、さらに、
前記第一チップソー(13)の端面に、該第一チップソー(13)と同軸で回転するよう配置された第一羽根車(50)を備え、
前記第二微粉砕部(20)が、さらに、
前記第二チップソー(23)の端面に、該第二チップソー(23)と同軸で回転するよう配置された第二羽根車(52)を備えることを特徴とする粉体製造装置。
【請求項３】
粉体を粉砕して、該粉体よりも微細な微細粉体とするための粉体製造装置(1)であって、
粉体を投入する投入部(2)と、
前記投入部(2)と連通され、該投入部(2)から投入された粉体を、該粉体の粒径よりも小さい第一粒径に微粉砕するための第一微粉砕部(10)と、
前記第一微粉砕部(10)と連通され、前記第一微粉砕部(10)で微粉砕された第一粒径の粉体を、さらに該第一粒径よりも小さい第二粒径に微粉砕するための第二微粉砕部(20)と、
前記第二微粉砕部(20)と連通され、前記第二微粉砕部(20)で微粉砕された第二粒径の粉体を回収するための回収部(30)と
を備え、
前記第一微粉砕部(10)が、
第一駆動軸(11)に複数枚のチップソー(12)が互いに離間して配置された、回転自在に駆動される第一チップソー(13)と、
前記第一チップソー(13)の周囲を囲むように配置された第一メッシュ(14)と、
前記第一メッシュ(14)の周囲を囲むと共に、該第一メッシュ(14)の外周との間に空間(15)を設けるように配置された第一ハウジング(16)と
を備え、
前記第二微粉砕部(20)が、
第二駆動軸(21)に複数枚のチップソー(22)が互いに離間して配置された、回転自在に駆動される第二チップソー(23)と、
前記第二チップソー(23)の周囲を囲むように配置された第二メッシュ(24)と、
前記第二メッシュ(24)の周囲を囲むと共に、該第二メッシュ(24)の外周との間に空間(25)を設けるように配置された第二ハウジング(26)と
を備え、
前記第二メッシュ(24)は、前記第一メッシュ(14)よりも目を細かく形成しており、
前記第一微粉砕部(10)が、さらに、
前記第一メッシュ(14)と第一ハウジング(16)との間の空間(15)にエアーを、前記第二微粉砕部(20)との連通部分に向かって吹き付けるよう配置された第一エアーノズル(54)を備え、
前記第二微粉砕部が、さらに、
前記第二メッシュ(24)と第二ハウジング(26)との間の空間(25)にエアーを、前記回収部(30)との連通部分に向かって吹き付けるよう配置された第二エアーノズル(56)を備えることを特徴とする粉体製造装置。
【請求項４】
粉体を粉砕して、該粉体よりも微細な微細粉体とするための粉体製造装置(1)であって、
粉体を投入する投入部(2)と、
前記投入部(2)と連通され、該投入部(2)から投入された粉体を、該粉体の粒径よりも小さい第一粒径に微粉砕するための第一微粉砕部(10)と、
前記第一微粉砕部(10)と連通され、前記第一微粉砕部(10)で微粉砕された第一粒径の粉体を、さらに該第一粒径よりも小さい第二粒径に微粉砕するための第二微粉砕部(20)と、
前記第二微粉砕部(20)と連通され、前記第二微粉砕部(20)で微粉砕された第二粒径の粉体を回収するための回収部(30)と
を備え、
前記第一微粉砕部(10)が、
第一駆動軸(11)に複数枚のチップソー(12)が互いに離間して配置された、回転自在に駆動される第一チップソー(13)と、
前記第一チップソー(13)の周囲を囲むように配置された第一メッシュ(14)と、
前記第一メッシュ(14)の周囲を囲むと共に、該第一メッシュ(14)の外周との間に空間(15)を設けるように配置された第一ハウジング(16)と
を備え、
前記第二微粉砕部(20)が、
第二駆動軸(21)に複数枚のチップソー(22)が互いに離間して配置された、回転自在に駆動される第二チップソー(23)と、
前記第二チップソー(23)の周囲を囲むように配置された第二メッシュ(24)と、
前記第二メッシュ(24)の周囲を囲むと共に、該第二メッシュ(24)の外周との間に空間(25)を設けるように配置された第二ハウジング(26)と
を備え、
前記第二メッシュ(24)は、前記第一メッシュ(14)よりも目を細かく形成しており、
前記第一微粉砕部(10)が、さらに、
前記第一チップソー(13)の下面側に、各チップソー(12)の間に介在するよう配置された第一ロストル(19)を備え、
前記第二微粉砕部(20)が、さらに、
前記第二チップソー(23)の下面側に、各チップソー(22)の間に介在するよう配置された第二ロストルを備えることを特徴とする粉体製造装置。
【請求項５】
請求項１〜４のいずれか一に記載の粉体製造装置(1)であって、さらに
前記投入部(2)に投入された粉体を、所定量だけ前記第一微粉砕部(10)に送出するための定量供給部(40)を備えることを特徴とする粉体製造装置。
【請求項６】
請求項１〜５のいずれか一に記載の粉体製造装置(1)であって、
前記投入部(2)と、前記第一チップソー(13)の第一駆動軸(11)と、前記第二チップソー(23)の第二駆動軸(21)と、前記回収部(30)とが、ほぼ同一直線上に並ぶように配置されてなることを特徴とする粉体製造装置。
【請求項７】
粉体を粉砕して、該粉体よりも微細な微細粉体とするための粉体製造装置(1)であって、
粉体を投入する投入部(2)と、
前記投入部(2)と連通され、該投入部(2)から投入された粉体を、該粉体の粒径よりも小さい第一粒径に微粉砕するための第一微粉砕部(10)と、
前記第一微粉砕部(10)と連通され、前記第一微粉砕部(10)で微粉砕された第一粒径の粉体を回収するための回収部(30)と
を備え、
前記第一微粉砕部(10)が、
第一駆動軸(11)に複数枚のチップソー(12)が互いに離間して配置された、回転自在に駆動される第一チップソー(13)と、
前記第一チップソー(13)の外周に沿って周囲を囲むように配置された第一メッシュ(14)と、
前記第一メッシュ(14)の周囲を囲むと共に、該第一メッシュ(14)の外周との間に空間(15)を設けるように配置された第一ハウジング(16)と
を備えることを特徴とする粉体製造装置。
【請求項８】
請求項１〜７のいずれか一に記載の粉体製造装置(1)であって、
粉体が竹粉であることを特徴とする粉体製造装置。
【請求項９】
粉体を粉砕して、該粉体よりも微細な微細粉体とする粉体製造方法であって、
粉体を投入部(2)から第一微粉砕部(10)に投入する工程と、
前記投入された粉体を、前記第一微粉砕部(10)において、第一チップソー(13)の回転によって微粉砕化し、前記第一チップソー(13)の外周に沿って周囲を囲むように配置された第一メッシュ(14)を通過させて第一分級する工程と、
前記第一分級された粉体を、第二微粉砕部(20)に送出し、前記第二微粉砕部(20)において、第二チップソー(23)の回転によって微粉砕化し、前記第二チップソー(23)の外周に沿って周囲を囲むように配置された、前記第一メッシュ(14)よりも目の細かい第二メッシュ(24)を通過させて第二分級する工程と、
前記第二分級された粉体を、回収部(30)で回収する工程と
を含むことを特徴とする粉体製造方法。
【発明の詳細な説明】
【技術分野】
【０００１】
本発明は、竹を粉砕した竹粉等の粉体を製造する粉体製造装置及び粉体製造方法に関する。
【背景技術】
【０００２】
近年、放置された竹林の拡大による農業への影響、生態系への影響、土砂崩れ等の災害要因等が懸念されており、その一方で、竹の成長の早さ、抗菌性、消臭性といった竹の優れた特性を活用すべく、竹の資源としての利用が注目されている。例えば竹から抽出される成分の活用といった竹の有効利用に際しては、伐採された竹を粉砕し、竹粉とすることが求められる。
【０００３】
竹を粉砕する装置として、様々なものが提案されている（例えば特許文献１）。特許文献１に記載されている竹粉製造装置は、図７の斜視図に示すように、回転駆動源７１８の回転駆動力が伝達される回転切削歯７２０を含む回転切削機構７２２と、竹の直径に対応して、竹の切削加工部位を回転切削歯７２０に対して略直交する位置に位置決めするとともに、竹の切削加工部位を回転切削歯７２０に接触するように案内する位置決めガイド機構７２６とを含んで構成されている。この竹粉製造装置によると、竹をミクロン単位まで粉砕することができる旨、記載されているが、切削可能な竹は長尺の竹に限られ、位置決めガイド機構が使えない竹片などは微粉砕することができない。
【０００４】
また、本願発明者も、竹粉製造装置を先に開発した（特許文献２）。この竹粉製造装置を図８に示す。この図に示す竹粉製造装置は、竹９００ａの片端面に竹の軸心に対して略同芯に回転し、切削部の刃物が円周上に複数箇所に配置され、回転中心から外に向かってラッパ状の一定の角度をもち、また中心付近には回転中心部が突出した方向に角度を持って取り付けられた円周方向に複数の切削刃物を持つ積層された複数枚のチップソー３０２ａ、又は複数の切削チップ４１０等からなる竹切削部３００を回転させつつ、切削対象の竹９００ａを切削し、竹粉へと加工する竹切削部と、当該竹を回転機構にて回転させることなく、その先端部から、回転している竹切削部３００へと送り込む竹送り込み部とを備える。これにより、複数の竹を順次粉砕し、竹粉を製造していくに際し、極力、人手による作業を減らし、複数本の竹から、竹が加工途中で割れずに低騒音で、節の部分も含めて均一にかつ、効率的に竹粉を製造可能となる。
【０００５】
しかしながら、この装置で得られる竹粉は、粒径が１ｍｍ程度となる。竹粉をより広い分野で活用するためには、一層の微粒子化によって表面積を高め、さらに粒径を均一に揃えるように分級する必要があるが、高効率で竹粉を微細化できる技術は未だ確立されていなかった。
【先行技術文献】
【特許文献】
【０００６】
【特許文献１】特許第３９６７９３１号公報
【特許文献２】特開２０１２−２５０５３１号公報
【発明の概要】
【発明が解決しようとする課題】
【０００７】
本発明は、このような背景に鑑みてなされたものである。本発明の主な目的は、竹粉等の粉体を一層微細化し、かつ分級も同時に行える粉体製造装置及び粉体製造方法を提供することにある。
【課題を解決するための手段】
【０００８】
上記課題を解決するために、本発明に係る粉体製造装置は、粉体を粉砕して、該粉体よりも微細な微細粉体とするための粉体製造装置１であって、粉体を投入する投入部２と、前記投入部２と連通され、該投入部２から投入された粉体を、該粉体の粒径よりも小さい第一粒径に微粉砕するための第一微粉砕部１０と、前記第一微粉砕部１０と連通され、前記第一微粉砕部１０で微粉砕された第一粒径の粉体を、さらに該第一粒径よりも小さい第二粒径に微粉砕するための第二微粉砕部２０と、前記第二微粉砕部２０と連通され、前記第二微粉砕部２０で微粉砕された第二粒径の粉体を回収するための回収部３０とを備え、前記第一微粉砕部１０が、第一駆動軸１１に複数枚のチップソー１２が互いに離間して配置された、回転自在に駆動される第一チップソー１３と、前記第一チップソー１３の外周に沿って周囲を囲むように配置された第一メッシュ１４と、前記第一メッシュ１４の周囲を囲むと共に、該第一メッシュ１４の外周との間に空間１５を設けるように配置された第一ハウジング１６とを備え、前記第二微粉砕部２０が、第二駆動軸２１に複数枚のチップソー２２が互いに離間して配置された、回転自在に駆動される第二チップソー２３と、前記第二チップソー２３の外周に沿って周囲を囲むように配置された第二メッシュ２４と、前記第二メッシュ２４の周囲を囲むと共に、該第二メッシュ２４の外周との間に空間２５を設けるように配置された第二ハウジング２６とを備え、前記第二メッシュ２４は、前記第一メッシュ１４よりも目を細かく形成してなることを特徴とする。
【０００９】
また、本発明の他の粉体製造装置によれば、粉体を粉砕して、該粉体よりも微細な微細粉体とするための粉体製造装置１であって、粉体を投入する投入部２と、前記投入部２と連通され、該投入部２から投入された粉体を、該粉体の粒径よりも小さい第一粒径に微粉砕するための第一微粉砕部１０と、前記第一微粉砕部１０と連通され、前記第一微粉砕部１０で微粉砕された第一粒径の粉体を、さらに該第一粒径よりも小さい第二粒径に微粉砕するための第二微粉砕部２０と、前記第二微粉砕部２０と連通され、前記第二微粉砕部２０で微粉砕された第二粒径の粉体を回収するための回収部３０とを備え、前記第一微粉砕部１０が、第一駆動軸１１に複数枚のチップソー１２が互いに離間して配置された、回転自在に駆動される第一チップソー１３と、前記第一チップソー１３の周囲を囲むように配置された第一メッシュ１４と、前記第一メッシュ１４の周囲を囲むと共に、該第一メッシュ１４の外周との間に空間１５を設けるように配置された第一ハウジング１６とを備え、前記第二微粉砕部２０が、第二駆動軸２１に複数枚のチップソー２２が互いに離間して配置された、回転自在に駆動される第二チップソー２３と、前記第二チップソー２３の周囲を囲むように配置された第二メッシュ２４と、前記第二メッシュ２４の周囲を囲むと共に、該第二メッシュ２４の外周との間に空間２５を設けるように配置された第二ハウジング２６とを備え、前記第二メッシュ２４は、前記第一メッシュ１４よりも目を細かく形成しており、前記第一微粉砕部１０が、さらに、前記第一チップソー１３の端面に、該第一チップソー１３と同軸で回転するよう配置された第一羽根車５０を備え、前記第二微粉砕部２０が、さらに、前記第二チップソー２３の端面に、該第二チップソー２３と同軸で回転するよう配置された第二羽根車５２を備えることを特徴とする。
【００１０】
また、本発明のさらに他の粉体製造装置１によれば、粉体を粉砕して、該粉体よりも微細な微細粉体とするための粉体製造装置１であって、粉体を投入する投入部２と、前記投入部２と連通され、該投入部２から投入された粉体を、該粉体の粒径よりも小さい第一粒径に微粉砕するための第一微粉砕部１０と、前記第一微粉砕部１０と連通され、前記第一微粉砕部１０で微粉砕された第一粒径の粉体を、さらに該第一粒径よりも小さい第二粒径に微粉砕するための第二微粉砕部２０と、前記第二微粉砕部２０と連通され、前記第二微粉砕部２０で微粉砕された第二粒径の粉体を回収するための回収部３０とを備え、前記第一微粉砕部１０が、第一駆動軸１１に複数枚のチップソー１２が互いに離間して配置された、回転自在に駆動される第一チップソー１３と、前記第一チップソー１３の周囲を囲むように配置された第一メッシュ１４と、前記第一メッシュ１４の周囲を囲むと共に、該第一メッシュ１４の外周との間に空間１５を設けるように配置された第一ハウジング１６とを備え、前記第二微粉砕部２０が、第二駆動軸２１に複数枚のチップソー２２が互いに離間して配置された、回転自在に駆動される第二チップソー２３と、前記第二チップソー２３の周囲を囲むように配置された第二メッシュ２４と、前記第二メッシュ２４の周囲を囲むと共に、該第二メッシュ２４の外周との間に空間２５を設けるように配置された第二ハウジング２６とを備え、前記第二メッシュ２４は、前記第一メッシュ１４よりも目を細かく形成しており、前記第一微粉砕部１０が、さらに、前記第一メッシュ１４と第一ハウジング１６との間の空間１５にエアーを、前記第二微粉砕部２０との連通部分に向かって吹き付けるよう配置された第一エアーノズル５４を備え、前記第二微粉砕部が、さらに、前記第二メッシュ２４と第二ハウジング２６との間の空間２５にエアーを、前記回収部３０との連通部分に向かって吹き付けるよう配置された第二エアーノズル５６を備えることを特徴とする。
【００１１】
さらに、本発明のさらに別の粉体製造装置１によれば、粉体を粉砕して、該粉体よりも微細な微細粉体とするための粉体製造装置１であって、粉体を投入する投入部２と、前記投入部２と連通され、該投入部２から投入された粉体を、該粉体の粒径よりも小さい第一粒径に微粉砕するための第一微粉砕部１０と、前記第一微粉砕部１０と連通され、前記第一微粉砕部１０で微粉砕された第一粒径の粉体を、さらに該第一粒径よりも小さい第二粒径に微粉砕するための第二微粉砕部２０と、前記第二微粉砕部２０と連通され、前記第二微粉砕部２０で微粉砕された第二粒径の粉体を回収するための回収部３０とを備え、前記第一微粉砕部１０が、第一駆動軸１１に複数枚のチップソー１２が互いに離間して配置された、回転自在に駆動される第一チップソー１３と、前記第一チップソー１３の周囲を囲むように配置された第一メッシュ１４と、前記第一メッシュ１４の周囲を囲むと共に、該第一メッシュ１４の外周との間に空間１５を設けるように配置された第一ハウジング１６とを備え、前記第二微粉砕部２０が、第二駆動軸２１に複数枚のチップソー２２が互いに離間して配置された、回転自在に駆動される第二チップソー２３と、前記第二チップソー２３の周囲を囲むように配置された第二メッシュ２４と、前記第二メッシュ２４の周囲を囲むと共に、該第二メッシュ２４の外周との間に空間２５を設けるように配置された第二ハウジング２６とを備え、前記第二メッシュ２４は、前記第一メッシュ１４よりも目を細かく形成しており、前記第一微粉砕部１０が、さらに、前記第一チップソー１３の下面側に、各チップソー１２の間に介在するよう配置された第一ロストル１９を備え、前記第二微粉砕部２０が、さらに、前記第二チップソー２３の下面側に、各チップソー２２の間に介在するよう配置された第二ロストルを備えることを特徴とする。
【００１２】
また、本発明の粉体製造装置において、さらに前記投入部２に投入された粉体を、所定量だけ前記第一微粉砕部１０に送出するための定量供給部４０を備えることを特徴とする。
【００１３】
さらに、本発明の粉体製造装置において、前記投入部２と、前記第一チップソー１３の第一駆動軸１１と、前記第二チップソー２３の第二駆動軸２１と、前記回収部３０とが、ほぼ同一直線上に並ぶように配置されてなることを特徴とする。
【００１４】
さらにまた、本発明の他の粉体製造装置によれば、粉体を粉砕して、該粉体よりも微細な微細粉体とするための粉体製造装置１であって、粉体を投入する投入部２と、前記投入部２と連通され、該投入部２から投入された粉体を、該粉体の粒径よりも小さい第一粒径に微粉砕するための第一微粉砕部１０と、前記第一微粉砕部１０と連通され、前記第一微粉砕部１０で微粉砕された第一粒径の粉体を回収するための回収部３０とを備え、前記第一微粉砕部１０が、第一駆動軸１１に複数枚のチップソー１２が互いに離間して配置された、回転自在に駆動される第一チップソー１３と、前記第一チップソー１３の外周に沿って周囲を囲むように配置された第一メッシュ１４と、前記第一メッシュ１４の周囲を囲むと共に、該第一メッシュ１４の外周との間に空間１５を設けるように配置された第一ハウジング１６とを備えることもできる。
【００１５】
さらにまた、微粉砕の対象となる粉体を、竹粉とすることができる。
【００１６】
また、本発明に係る粉体製造方法は、粉体を粉砕して、該粉体よりも微細な微細粉体とする粉体製造方法であって、粉体を投入部２から第一微粉砕部１０に投入する工程と、前記投入された粉体を、前記第一微粉砕部１０において、第一チップソー１３の回転によって微粉砕化し、前記第一チップソー１３の外周に沿って周囲を囲むように配置された第一メッシュ１４を通過させて第一分級する工程と、前記第一分級された粉体を、第二微粉砕部２０に送出し、前記第二微粉砕部２０において、第二チップソー２３の回転によって微粉砕化し、前記第二チップソー２３の外周に沿って周囲を囲むように配置された、前記第一メッシュ１４よりも目の細かい第二メッシュ２４を通過させて第二分級する工程と、前記第二分級された粉体を、回収部３０で回収する工程とを含むことを特徴とする。
【発明の効果】
【００１７】
本発明の粉体製造装置によると、粉体を第一微粉砕部及び第二微粉砕部によって二段階で微粉砕化することが可能となり、効率よく微細な粉体を製造することが可能となる。さらに微粉砕しつつ第一メッシュ及び第二メッシュによって粉体を二段階で分級することができ、粉体の微粉砕化と分級とを併せて行うことが可能となる。
【００１８】
また、本発明の粉体製造装置において、第一チップソーの端面に第一羽根車を備え、第二チップソーの端面に第二羽根車を備えることによって、これら羽根車の回転で各メッシュ内において粉体を巻き上げ、各チップソーで微粉砕化された粉体を各メッシュの内面から外面に付勢して、効率よく各メッシュでふるいにかけて分級することが可能となる。
【００１９】
また、本発明の粉体製造装置において、第一メッシュと第一ハウジングとの間の空間にエアーを吹き付ける第一エアーノズルを備え、第二メッシュと第二ハウジングとの間の空間にエアー吹き付ける第二エアーノズルを備えることによって、各メッシュを通過した粉体をエアーで付勢して、効率よく次段に送出することが可能となる。
【００２０】
さらに、本発明の粉体製造装置において、第一微粉砕部に係る第一チップソーの下面側に、各チップソーの間に介在するよう配置された第一ロストルを備え、第二微粉砕部に係る第二チップソーの下面側に、各チップソーの間に介在するよう配置された第二ロストルを備えることによって、各ロストル同士の間に粉体を集めた状態で各チップソーを通すことができ、さらに効率よく微粉砕できる。
【００２１】
また、本発明の粉体製造装置において、さらに、投入部に投入された粉体を、所定量だけ第一微粉砕部に送出するための定量供給部を備えることにより、投入部に投入された粉体の量によらず、一定量の粉体を第一粉砕部に送出できるので、安定した微粉砕化が実現できる。
【００２２】
さらに、本発明の粉体製造装置において、投入部と、第一チップソーの第一駆動軸と、第二チップソーの第二駆動軸と、回収部とを、ほぼ同一直線上に並ぶように配置することによって、投入部に投入された粉体が落下する過程で第一チップソー、第二チップソーにより微粉砕化され、回収部まで効率よく自重により搬送することが可能となる。
【００２３】
また、本発明の粉体製造方法によると、粉体を二段階で微粉砕化することが可能となり、効率よく微細な粉体を製造することが可能となる。さらに第一メッシュと第二メッシュによって粉体を分級することができ、粉体の微粉砕化と分級とを併せて行うことが可能となる。
【図面の簡単な説明】
【００２４】
【図１】本発明の一実施形態に係る粉体製造装置を示す正面図である。
【図２】図１の粉体製造装置を側面から見た垂直断面図である。
【図３】図１の粉体製造装置の第一微粉砕部と第二微粉砕部の詳細を示す正面図である。
【図４】図３の第一微粉砕部と第二微粉砕部の側面図である。
【図５】本発明の一実施形態に係る粉体製造装置における第一微粉砕部の他の態様を示す正面図である。
【図６】図５の第一微粉砕部を側面から見た垂直断面図である。
【図７】従来の竹粉製造装置を示す概略図である。
【図８】従来の他の竹粉製造装置を示す概略図である。
【発明を実施するための形態】
【００２５】
以下、本発明の実施の形態を図面に基づいて説明する。ただし、以下に示す実施の形態は、本発明の技術思想を具体化するための粉体製造装置及び粉体製造方法を例示するものであって、本発明は粉体製造装置及び粉体製造方法を以下のものに特定しない。また、本明細書は特許請求の範囲に示される部材を、実施の形態の部材に特定するものでは決してない。特に実施の形態に記載されている数値、構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２６】
図１は本発明の一実施形態に係る粉体製造装置１の正面図である。図２は、図１に示した粉体製造装置１の側面から見た垂直断面図である。
【００２７】
本実施形態に係る粉体製造装置１は、粉体として、主に粒径が１ｍｍ程度の竹粉を、最終的には１００〜３００μｍ程度の微細な竹粉にまで微粉砕化することが可能な竹粉製造装置である。即ち、本実施形態の竹粉製造装置１は、主に、原料となる概ね１ｍｍ程度の竹粉（以下「原料竹粉」という。）を投入する投入部２と、投入部２と連通され、投入部２から投入された原料竹粉を、この原料竹粉の粒径よりも小さい第一粒径の竹粉（以下「一次竹粉」という。）に微粉砕するための第一微粉砕部１０と、第一微粉砕部１０と連通され、第一微粉砕部で微粉砕された一次竹粉を、さらに第一粒径よりも小さい第二粒径の竹粉（以下「二次竹粉」という。）に微粉砕するための第二微粉砕部２０と、第二微粉砕部２０と連通され、第二微粉砕部２０で微粉砕された二次竹粉を回収するための回収部３０とを含んで構成されている。
【００２８】
投入部２は、上方が開放された投入口３と、下側に排出口４を備えるホッパーである。原料となる概ね１ｍｍ程度の原料竹粉を投入口３から投入し、投入部２の下方に連通された第一微粉砕部１０へと原料竹粉を順次排出口４から排出する。
【００２９】
本実施形態の竹粉製造装置１では、投入部２と、後述する第一微粉砕部１０との間に、投入部２に投入された原料竹粉を、所定量だけ第一微粉砕部１０に送出するための定量供給部４０を備える。定量供給部４０は、ケーシング４１内に水平方向に配設されたローター４２、このローター４２の回転軸４３の両端部を各々支持する軸受４４、４４、回転軸４３の一端部に取り付けられたモータ４５を含んで構成さている。投入部２の排出口４に定量供給部４０を配設することによって、投入部２に投入された原料竹粉の量によらず、一定量の原料竹粉を第一微粉砕部１０に送出できるので、安定した微粉砕化が実現できる。なお、定量供給部４０の構成はここで説明した態様に限定されず、他の公知の定量供給手段が採用されてもよく、必ずしも定量供給部４０を配設しなくてもよいが、原料竹粉を効率よく安定して第一微粉砕部１０へ送出することができ、安定した微粉砕化が可能な点で定量供給部４０を配設することが好ましい。
【００３０】
定量供給部４０の下方に配設された第一微粉砕部１０は、第一駆動軸１１に複数枚のチップソー１２が互いに離間して配置された、回転自在に駆動される第一チップソー１３と、第一チップソー１３の周囲を囲むように配置された第一メッシュ１４と、第一メッシュ１４の周囲を囲むと共に、第一メッシュ１４の外周との間に空間１５を設けるように配置された第一ハウジング１６とを備える。第一駆動軸１１に配置された複数枚のチップソー１２は、スペーサー１７によって互いに離間して配置されることによって第一チップソー１３を構成し、第一駆動軸１１の一端部に取り付けられたモータ１８によって回転駆動される。そして、第一駆動軸１１をモータ１８で回転駆動することによって、第一チップソー１３が備える複数枚のチップソー１２で、原料竹粉が一次竹粉に微粉砕される。なお、この一次竹粉とは、前述の通り、原料竹粉の粒径よりも小さい第一粒径の竹粉であり、本実施形態に係る第一粒径としては４００〜６００μｍに設定することが好ましい。
【００３１】
第一チップソー１３の周囲には、この第一チップソー１３の周囲を囲むように円筒状の第一メッシュ１４が配置されている。第一メッシュ１４は、第一チップソー１３によって微粉砕された一次竹粉を分級する機能を有する。第一メッシュ１４の目開きは特に限定されないが、例えば、本実施形態に係る第一メッシュ１４の目開きを５００μｍとしたとき、第一チップソー１３によって５００μｍ以下まで微粉砕された一次竹粉が、第一メッシュ１４を通過することができる。
【００３２】
そして、第一メッシュ１４の周囲には、この第一メッシュ１４を囲むと共に、第一メッシュ１４の外周との間に空間１５を設けるように配置された円筒状の第一ハウジング１６を備える。第一チップソー１３によって第一粒径まで微粉砕された一次竹粉は、第一メッシュ１４を通過して、第一メッシュ１４の外周と第一ハウジング１６との間の空間１５へ送出され、後述する第二微粉砕部２０へと順次送られる。例えば、本実施形態に係る第一粒径を５００μｍに設定した場合、第一メッシュ１４の目開きを５００μｍとすることによって、第一チップソー１３により５００μｍ以下まで微粉砕された一次竹粉のみが、第一メッシュ１４を通過して第一メッシュ１４の外周と第一ハウジング１６との間の空間１５へ送られ、続く第二微粉砕部２０へと送出される。
【００３３】
第一微粉砕部１０と連通する第二微粉砕部２０は、第二駆動軸２１に複数枚のチップソー２２が互いに離間して配置された、回転自在に駆動される第二チップソー２３と、第二チップソー２３の周囲を囲むように配置された第二メッシュ２４と、第二メッシュ２４の周囲を囲むと共に、第二メッシュ２４の外周との間に空間２５を設けるように配置された第二ハウジング２６とを備える。第一駆動軸２１に配置された複数枚のチップソー２２は、スペーサー２７によって互いに離間して配置されることによって第二チップソー２３を構成し、第二駆動軸２１の一端部に取り付けられたモータ２８によって回転駆動される。そして、第二駆動軸２１をモータ２８で回転駆動することによって、第二チップソー２３が備える複数枚のチップソー２２で、一次竹粉が二次竹粉に微粉砕される。なお、この二次竹粉とは、前述の通り、一次竹粉の粒径、即ち第一粒径よりも小さい第二粒径の竹粉であり、本実施形態に係る第二粒径としては１００〜３００μｍに設定することが好ましい。
【００３４】
第二チップソー２３の周囲には、この第二チップソー２３の周囲を囲むように円筒状の第二メッシュ２４が配置されている。第二メッシュ２４は、第二チップソー２３によって微粉砕された二次竹粉を分級する機能を有する。第二メッシュ２４の目開きは特に限定されないが、例えば、本実施形態に係る第二メッシュ２４の目開きを２００μｍとしたとき、第二チップソー２３によって２００μｍ以下まで微粉砕された二次竹粉が、第二メッシュ２４を通過することができる。
【００３５】
そして、第二メッシュ２４の周囲には、この第二メッシュ２４を囲むと共に、第二メッシュ２４の外周との間に空間２５を設けるように配置された円筒状の第二ハウジング２６を備える。第二チップソー２３によって第二粒径まで微粉砕された二次竹粉は、第二メッシュ２４を通過して、第二メッシュ２４の外周と第二ハウジング２６との間の空間２５へ送出され、後述する回収部３０へと順次送られる。例えば、本実施形態に係る第二粒径を２００μｍに設定した場合、第二メッシュ２４の目開きを２００μｍとすることによって、第二チップソー２３により２００μｍ以下まで微粉砕された二次竹粉のみが、第二メッシュ２４を通過して第二メッシュ２４の外周と第二ハウジング２６との間の空間２５へ送られ、続く回収部３０へと送出される。
【００３６】
第二微粉砕部２０と連通する回収部３０は、第二微粉砕部２０において微粉砕されて得られた二次竹粉を第二微粉砕部２０から外部へ排出するための排出口３１を備え、排出口３１に袋３２をセットしておくことによって、二次竹粉を容易に回収することができる。
【００３７】
以上、本実施形態に係る竹粉製造装置１の主な構成について詳述したが、本実施形態に係る竹粉製造装置１は、さらに以下の構成を備える。
【００３８】
図３は、図２に示した本実施形態の竹粉製造装置１に係る第一微粉砕部１０と第二微粉砕部２０の詳細を示す正面図、図４は、図３に示した第一微粉砕部１０と第二微粉砕部２０の側面図である。これらの図に示すように、本実施形態の竹粉製造装置１に係る第一微粉砕部１０が備える第一チップソー１３の端面には、第一チップソー１３と同軸で回転するよう配置された第一羽根車５０を備える。第一羽根車５０は、第一チップソー１３の端面において第一駆動軸１１に取り付けられており、モータ１８によって第一駆動軸１１が回転駆動されるのに伴って第一羽根車５０も回転する。この第一羽根車４０の回転により第一メッシュ１４内に風を発生させることによって、第一メッシュ１４内で原料竹粉及び第一チップソー１３によって微粉砕された一次竹粉を強制的に巻き上げ、一次竹粉を第一メッシュ１４内から第一メッシュ１４の外周と第一ハウジング１６との間の空間１５へ積極的に送り出すことができ、第一メッシュ１４による一次竹粉の分級効率を高めることができる。
【００３９】
一方、第二微粉砕部２０に係る第二チップソー２３の端面には、第二チップソー２３と同軸で回転するよう配置された第二羽根車５２を備える。第二羽根車５２は、第二チップソー２３の端面において第二駆動軸２１に取り付けられており、モータ２８によって第二駆動軸２１が回転駆動されるのに伴って第二羽根車５２も回転する。この第二羽根車５２の回転により第二メッシュ２４内に風を発生させることによって、第一メッシュ１４で分級された一次竹粉及び第二チップソー２３によって微粉砕された二次竹粉を第二メッシュ２４内で強制的に巻き上げ、二次竹粉を第二メッシュ２４内から第二メッシュ２４の外周と第二ハウジング２６との間の空間２５へ積極的に送り出すことができ、第二メッシュ２４による二次竹粉の分級効率を高めることができる。
【００４０】
また、本実施形態の竹粉製造装置１に係る第一微粉砕部１０には、さらに、第一メッシュ１４と第一ハウジング１６との間の空間１５にエアーを噴出する第一エアーノズル５４を備える。この第一エアーノズル５４は、第一微粉砕部１０の上部に配設され、空間１５の上方から、第一微粉細部１０と第二微粉砕部２０との連通部分に向かってエアーを吹き付けるよう配置されており、第一メッシュ１４を通過した一次竹粉を、効率よく第二微粉砕部２０へ送ることができる。
【００４１】
そして、本実施形態の竹粉製造装置１に係る第二微粉砕部２０には、さらに、第二メッシュ２４と第二ハウジング２６との間の空間２５にエアーを噴出する第二エアーノズル５６を備える。この第二エアーノズル５６は、第二微粉砕部２０の上部に配設され、空間２５の上方から、第二微粉細部２０と回収部３０との連通部分に向かってエアーを吹き付けるよう配置されており、第二メッシュ２４を通過した二次竹粉を、効率よく回収部３０へ送ることができる。
【００４２】
以上、本発明の一実施形態に係る竹粉製造装置１の構成について詳述したが、次に、本実施形態に係る竹粉製造装置１による竹粉製造方法について説明する。
【００４３】
まず、原料となる概ね１ｍｍ程度の原料竹粉が、投入部２に係る投入口３から投入され、排出口４から定量供給部４０へ排出される。投入部２から定量供給部４０へ排出された原料竹粉は、定量供給部４０によって一定量ずつ第一微粉砕部１０に送り出される。
【００４４】
定量供給部４０によって一定量ずつ第一微粉砕部１０に送り出された原料竹粉は、第一微粉砕部１０に係る第一メッシュ１４内において、第一チップソー１３が備える複数枚のチップソー１２によって一次竹粉に微粉砕される。そして、第一チップソー１３によって第一粒径まで微粉砕された一次竹粉は、第一メッシュ１４を通過して第一メッシュ１４の外周と第一ハウジング１６との間の空間１５へ送出される。第一メッシュ１４によって第一粒径以下に第一分級された一次竹粉は、第一微粉砕部１０の上部に配設され、空間１５の上方から、第一微粉細部１０と第二微粉砕部２０との連通部分に向かってエアーを吹き付けるよう配置された第一エアーノズル５４によって、効率よく第二微粉砕部２０へ送られる。ここで、例えば、本実施形態に係る第一粒径を５００μｍに設定した場合、第一メッシュ１４の目開きを５００μｍとすることによって、第一チップソー１３により５００μｍ以下まで微粉砕された一次竹粉のみが、第一メッシュ１４を通過して第一メッシュ１４の外周と第一ハウジング１６との間の空間１５へ送られ、続く第二微粉砕部２０へと送出されることとなる。
【００４５】
第二微粉砕部２０に送られた一次竹粉は、第二微粉砕部２０に係る第二メッシュ２４内において、第二チップソー２３が備える複数枚のチップソー２２によって二次竹粉に微粉砕される。そして、第二チップソー２３によって第二粒径まで微粉砕された二次竹粉は、第二メッシュ２４を通過して第二メッシュ２４の外周と第二ハウジング２６との間の空間２５へ送出される。第二メッシュ２４によって第二粒径以下に第二分級された二次竹粉は、第二微粉砕部２０の上部に配設され、空間２５の上方から、第二微粉細部２０と回収部３０との連通部分に向かってエアーを吹き付けるよう配置された第二エアーノズル５６によって、効率よく回収部３０へ送られる。ここで、例えば、本実施形態に係る第二粒径を２００μｍに設定した場合、第二メッシュ２４の目開きを２００μｍとすることによって、第二チップソー２３により２００μｍ以下まで微粉砕された二次竹粉のみが、第二メッシュ２４を通過して第二メッシュ２４の外周と第二ハウジング２６との間の空間２５へ送られ、最終の回収部３０へと送出されて回収されることとなる。
【００４６】
以上、本発明の実施形態に係る竹粉製造装置１及びこの竹粉製造装置１による竹粉製造方法によると、原料竹粉を第一微粉砕部１０及び第二微粉砕部２０によって二段階で微粉砕化することが可能となり、効率よく微細な竹粉（二次竹粉）を製造することが可能となる。さらに、第二メッシュ２４を、第一メッシュ１４よりも目を細かく形成することによって、原料竹粉を微粉砕しつつ第一メッシュ１４及び第二メッシュ２４によって、一次竹粉、二次竹粉というように二段階で分級することができ、竹粉の微粉砕化と分級とを併せて行うことが可能となる。
【００４７】
また、本実施形態に係る竹粉製造装置１において、第一チップソー１３の端面に第一羽根車５０を備え、第二チップソー２３の端面に第二羽根車５２を備えることによって、第一羽根車５０の回転で第一メッシュ１４内において一次竹粉を巻き上げ、第二羽根車５２の回転で第二メッシュ２４内において二次竹粉を巻き上げ、各チップソー１３、２３で微粉砕化された一次竹粉または二次竹粉を各メッシュ１４、２４の内面から外面に付勢して、効率よく各メッシュ１４、２４でふるいにかけて分級することが可能となる。
【００４８】
さらに、本実施形態に係る竹粉製造装置１において、第一メッシュ１４と第一ハウジング１６との間の空間１５にエアーを吹き付ける第一エアーノズル５４を備え、第二メッシュ２４と第二ハウジング２６との間の空間２５にエアー吹き付ける第二エアーノズル５６を備えることによって、各メッシュ１４、２４を通過した一次竹粉及び二次竹粉をエアーで付勢して、効率よく次段に送出することが可能となる。
【００４９】
またさらに、本実施形態の竹粉製造装置１において、投入部２と、第一チップソー１３の第一駆動軸１１と、第二チップソー２４の第二駆動軸２１と、回収部３０とを、ほぼ同一直線上に並ぶように配置することによって、投入部２に投入された竹粉（原料竹粉）が落下する過程で第一チップソー１３、第二チップソー２３により微粉砕化され、回収部３０まで効率よく自重により搬送することが可能となる。
【００５０】
以上、本発明の一実施形態に係る竹粉製造装置１について詳述したが、本実施形態の竹粉製造装置１に係る他の態様について説明する。
【００５１】
図５は、本実施形態の竹粉製造装置１における第一微粉砕部の他の態様を示す正面図、図６は、図５に示した第一微粉砕部を側面から見た垂直断面図である。これらの図に示した本実施形態の竹粉製造装置１における第一微粉砕部１０ａは、上述した第一微粉細部１０とほぼ同様の構成を備えるが、この第一微粉砕部１０ａは、さらに、第一チップソー１３の下面側に、各チップソー１２の間に介在するよう配置された複数の第一ロストル１９を備える。第一チップソー１３の下面側における第一メッシュ１４内に、複数のチップソー１２と複数の第一ロストル１９が交互に配設されている。従って、各第一ロストル１９同士の間に原料竹粉を集めた状態で第一チップソー１３に係る各チップソー１２を通すことができ、さらに効率よく原料竹粉の微粉砕が可能となる。
【００５２】
なお、上述した本発明の一実施形態の竹粉製造装置１に係る第二微粉砕部２０においても、さらに、第二チップソー２３の下面側に、各チップソー２２の間に介在するよう配置された複数の第二ロストルを備えることが好ましい。第二チップソー２３の下面側における第二メッシュ２４内に、複数のチップソー２２と複数の第二ロストルが交互に配設されることによって、各第二ロストル同士の間に一次竹粉を集めた状態で第二チップソー２３に係る各チップソー２２を通すことができ、さらに効率よく一次竹粉の微粉砕が可能となる。
【００５３】
以上、本発明の実施形態について説明したが、本発明は上記実施形態に限定されるものではなく、本発明の主旨を逸脱しない範囲内で種々の変形が可能である。例えば、本発明の竹粉製造装置に係る第一粒径及び第二粒径は任意に設定可能であり、第一メッシュ及び第二メッシュの目の大きさを適宜変更することによって、所望の粒径に分級された微細竹粉を効率よく製造することができる。さらにまた、上記の例では第一微粉砕部と第二微粉砕部の２つを備えた構成を示したが、微粉細部を３以上として一層精細に微粉砕、分級してもよく、あるいは逆に微粉細部を一のみとして、簡素化した構成で竹粉の微粉砕化を行わせてもよい。さらに上記の例では、粉体として竹粉の微粉砕化を行う場合を説明したが、本発明は竹粉に限らず、木粉や他のバイオマス粉体や化学材料体等を微粉砕化する用途にも好適に利用できる。
【符号の説明】
【００５４】
１…粉体製造装置
２…投入部
３…投入口
４…排出口
１０，１０ａ…第一微粉砕部
１１…第一駆動軸
１２，２２…チップソー
１３…第一チップソー
１４…第一メッシュ
１５，２５…空間
１６…第一ハウジング
１７…スペーサー
１８，２８，４５…モータ
１９…第一ロストル
２０…第二微粉砕部
２１…第二駆動軸
２２…チップソー
２３…第二チップソー
２４…第二メッシュ
２６…第二ハウジング
２７…スペーサー
３０…回収部
３１…排出口
３２…袋
４０…定量供給部
４１…ケーシング
４２…ローター
４３…回転軸
４４…軸受
５０…第一羽根車
５２…第二羽根車
５４…第一エアーノズル
５６…第二エアーノズル
３００…竹切削部
３０２ａ…チップソー
４１０…切削チップ
７１８…回転駆動源
７２０…回転切削歯
７２２…回転切削機構
７２６…ガイド機構
９００ａ…竹
【図１】
0006342244.tif 000002
【図２】
0006342244.tif 000003
【図３】
0006342244.tif 000004
【図４】
0006342244.tif 000005
【図５】
0006342244.tif 000006
【図６】
0006342244.tif 000007
【図７】
0006342244.tif 000008
【図８】
0006342244.tif 000009